(57)【要約】【課題】  不要発振を確実に抑圧することができ、設計が容易な水晶発振器を提供する。【解決手段】  ＳＣカット又はＩＴカットの水晶振動子Ｘ１と発振用トランジスタＱ１とを有する発振回路部と、発振回路部の出力を増幅する増幅用トランジスタＱ２を有する増幅部とを備え、増幅用トランジスタＱ２のエミッタが、コイルＬ２とコンデンサＣ７のＬＣ直列共振回路を介して接地され、増幅用トランジスタＱ２のコレクタと、発振用トランジスタＱ１のベースが、コンデンサＣ８を介して接続され、増幅部の出力を発振回路部に帰還する水晶発振器としており、ＬＣ直列共振回路の共振周波数を主振動周波数とし、コイルＬ２、コンデンサＣ７、コンデンサＣ８の値を適宜設定することにより、主振動周波数における負性抵抗を増大して安定して発振させると共に、Ｂモードや５倍波での負性抵抗を正として、不要波の発振を確実に抑圧するものである。【選択図】        図３
2015097307.tif 000002
【特許請求の範囲】
【請求項１】
水晶振動子と発振用トランジスタとを有する発振回路部と、前記発振用トランジスタの出力を増幅する増幅用トランジスタを有する増幅部とを備えた水晶発振器であって、
前記発振用トランジスタのエミッタが、第１のコンデンサを介して前記増幅用トランジスタのベースに接続され、
前記増幅用トランジスタのエミッタが、第１のコイル及び第２のコンデンサから成る直列共振回路を介して接地され、
前記増幅用トランジスタのコレクタが、第３のコンデンサを介して前記発振用トランジスタのベースに帰還接続されていることを特徴とする水晶発振器。
【請求項２】
水晶振動子は、ＳＣカット又はＩＴカットで、主振動がＣモードの３次オーバートーンであり、
第１のコイル、第２のコンデンサ、第３のコンデンサの値が調整されることにより、Ｂモードにおける負性抵抗が正の値となることを特徴とする請求項１記載の水晶発振器。
【請求項３】
第１のコイル、第２のコンデンサ、第３のコンデンサの値が調整されることにより、Ｃモードの５次オーバートーンにおける負性抵抗が正の値となることを特徴とする請求項２記載の水晶発振器。
【請求項４】
発振回路部が、コルピッツ型発振回路であることを特徴とする請求項１乃至３のいずれか記載の水晶発振器。
【発明の詳細な説明】
【技術分野】
【０００１】
本発明は、水晶発振器に係り、特に不要発振を確実に抑圧することができ、設計が容易な水晶発振器に関する。
【背景技術】
【０００２】
［先行技術の説明：図６］
一般的なコルピッツ型の水晶発振器について図６を用いて説明する。図６は、従来のコルピッツ型水晶発振回路の構成例を示す回路図である。
図６に示すように、コルピッツ型水晶発振器は、通常、ＡＴカットの水晶片が用いられ、基本的に、水晶振動子Ｘ１と、発振用トランジスタＱ１とを備えている。
水晶振動子Ｘ１の一端は発振用トランジスタＱ１のベースに接続され、他端はコンデンサＣｔを介して接地されている。
また、水晶振動子Ｘ１の一端と発振用トランジスタＱ１のベースとの間には、抵抗Ｒ１を介して電源電圧が印加されている。
【０００３】
発振用トランジスタＱ１のコレクタは、電源電圧（Vcc）に接続されている。
発振用トランジスタＱ１のベースは、直列接続のコンデンサＣ１，Ｃ２を介して接地されている。
また、発振用トランジスタＱ１のエミッタは、コンデンサＣ１とコンデンサＣ２との間の点に接続されると共に、抵抗Ｒ３を介して接地されている。
そして、直列接続のコンデンサＣ１，Ｃ２に並列に抵抗Ｒ２が設けられている。
上記構成の水晶発振器においては、発振用トランジスタＱ１のエミッタ又はコレクタから出力を取り出す。
【０００４】
［ＳＣカット］
近年、高安定な信号源として用いられるＯＣＸＯ（Oven Controlled Crystal Oscillator；恒温槽付水晶発振器）は、周波数安定度の高精度化や動作温度範囲の拡大のニーズが高まっており、水晶振動子として、主に２回回転カットであるＳＣカットが採用されている。
ＳＣカットは、従来のＡＴカットに比べ、変曲点が高い温度点にあるため、広い温度範囲（特に高温側）において動作可能であり、また、熱ストレスに対する特性やエージング特性も優れている。
【０００５】
その一方で、ＳＣカットの水晶振動子は、主振動であるＣモードに対して、およそ＋９〜１０％の非常に近い周波数においてＢモードと呼ばれる副振動が存在する。
そのため、図６に示した従来のコルピッツ発振回路では、Ｃモード、Ｂモードがいずれも発振条件を満たしてしまい、水晶振動子として等価抵抗の小さいＢモードが発振する恐れがある。
そこで、発振回路において、Ｂモードが発振しないように抑える工夫が必要となる。２回回転カットのＩＴカットの水晶振動子でも同様である。
【０００６】
［Ｂモードを抑制する条件］
Ｂモードが発振しないようにするには、発振条件の内、振幅条件を満足しないようにする必要がある。すなわち、ループゲインが１以下となるようにすればよい。
つまり、水晶発振回路の場合、
｜発振回路の負性抵抗｜＜水晶振動子のＢモードの等価抵抗
を満たす必要がある。
【０００７】
［ＳＣカットの水晶振動子を用いた従来の発振器：図７］
ここで、ＳＣカットの水晶振動子を用いた従来の発振器について図７を用いて説明する。図７は、ＳＣカットの水晶振動子を用いた従来の発振回路の構成例を示す回路図である。
図７に示すようにＳＣカットの水晶振動子を用いた従来の発振回路は、基本的な構成は、図６に示した従来のコルピッツ型発振回路とほぼ同様であるが、発振用トランジスタＱ１のエミッタから、直列接続のコンデンサＣ１，Ｃ２の中点への帰還路に、直列接続のコイルＬ１とコンデンサＣ３から成るＬＣ共振回路を挿入した構成となっている。
これにより、負性抵抗の帯域を制限し、Ｂモードでの発振を防ぐものである。
【０００８】
［従来の発振器の負性抵抗特性：図８］
次に、従来の発振器の負性抵抗特性について図８を用いて説明する。図８は、図７に示した従来の発振器の負性抵抗特性を示す特性図である。
ここでは、３次オーバートーンの１０MHz（Ｃモード）発振器を例として説明する。基本波は３．３MHzであり、不要モードであるＢモードは、Ｃモードの＋９％に相当する１０．９MHzとなる。
【０００９】
上述したように、図７の発振器では、コイルＬ１とコンデンサＣ３の直列共振回路を挿入することにより、負性抵抗の帯域を制限して、所望のＣモード以外での発振を抑えるようにしている。
【００１０】
そして、図８に示すように、図７の発振器において、Ｌ１及びＣ３をパラメータとして調整することにより、負性抵抗のピークポイントを調整でき、Ｌ１，Ｃ３を大きくするとピークポイントは低周波数側に移動し、Ｌ１，Ｃ３を小さくすると高周波数側に移動する。
ここでは、特性（ａ），（ｂ），（ｃ）３種類の特性を示しており、いずれもＣモード付近に負性抵抗のピークを備え、それ以外の帯域では負性抵抗は小さくなっている。
【００１１】
ＳＣカットやＩＴカットの水晶振動子を用いた発振器では、不要モードであるＢモードの負性抵抗を正にして、確実に発振を抑制する必要があるが、図８（ａ）〜（ｃ）に示すように、１０．９MHz付近において負性抵抗は残っており、Ｂモードを確実に抑圧することはできていない。
【００１２】
また、実際の設計においては、図８に示した負性抵抗の特性について回路定数を調整しながら、Ｃモードの負性抵抗を十分に確保しつつ、且つＢモードが発振しにくくなる条件に設定する必要があるため、パラメータの最適化とその検討に多大な時間を費やしている。
【００１３】
［関連技術］
尚、Ｂモードでの不要発振を抑圧する水晶発振器の従来技術としては、特開２００６−３４５１１５号公報「水晶発振器」（日本電波工業株式会社、特許文献１）、特開２０１０−０４１３４６号公報「副振動抑圧型の水晶発振回路」（日本電波工業株式会社、特許文献２）がある。
【００１４】
特許文献１には、水晶発振回路の帰還ループ中に、Ｃモード周波数を通過させるＣモード共振回路（主モード共振回路）と、Ｂモード周波数での発振を抑圧するトラップ回路とを備えた水晶発振器が記載されている。
【００１５】
また、特許文献２には、発振用トランジスタのエミッタ・コレクタ間に、コンデンサＣ１又はＣ２にＬＣ直列回路を並列接続したリアクタンス並列回路を備え、リアクタンス並列回路は主振動モードによる発振周波数では容量性となる共振特性を有し、ＬＣ直列回路の共振周波数は副振動モードによる振動周波数に一致した構成とする水晶発振回路が記載されている。
【先行技術文献】
【特許文献】
【００１６】
【特許文献１】特開２００６−３４５１１５号公報
【特許文献２】特開２０１０−０４１３４６号公報
【発明の概要】
【発明が解決しようとする課題】
【００１７】
上述したように、従来のＳＣカット水晶振動子を用いた水晶発振器では、不要モードであるＢモードでの発振を確実に抑圧することができず、また、設計時において回路定数のパラメータ最適化が煩雑であるという問題点があった。
【００１８】
特に、特許文献１及び２の発振器では、いずれも、従来のコルピッツ型発振回路の中に共振回路を挿入したものであり、不要モードの抑圧を図りながらも、発振回路自体が複雑化するため、パラメータの最適化が一層困難となってしまう。
【００１９】
尚、特許文献１及び特許文献２には、コルピッツ型発振回路に、エミッタにＬＣ直列共振回路を接続したエミッタ接地型増幅回路を付加し、当該増幅回路からの出力を発振回路に帰還することは記載されていない。
【００２０】
本発明は上記実状に鑑みて為されたもので、Ｂモードでの発振を確実に抑圧することができ、設計が容易な水晶発振器を提供することを目的とする。
【課題を解決するための手段】
【００２１】
上記従来例の問題点を解決するための本発明は、水晶振動子と発振用トランジスタとを有する発振回路部と、発振用トランジスタの出力を増幅する増幅用トランジスタを有する増幅部とを備えた水晶発振器であって、発振用トランジスタのエミッタが、第１のコンデンサを介して増幅用トランジスタのベースに接続され、増幅用トランジスタのエミッタが、第１のコイル及び第２のコンデンサから成る直列共振回路を介して接地され、増幅用トランジスタのコレクタが、第３のコンデンサを介して発振用トランジスタのベースに帰還接続されていることを特徴としている。
【００２２】
また、本発明は、上記水晶発振器において、水晶振動子は、ＳＣカット又はＩＴカットで、主振動がＣモードの３次オーバートーンであり、第１のコイル、第２のコンデンサ、第３のコンデンサの値が調整されることにより、Ｂモードにおける負性抵抗が正の値となることを特徴としている。
【００２３】
また、本発明は、上記水晶発振器において、第１のコイル、第２のコンデンサ、第３のコンデンサの値が調整されることにより、Ｃモードの５次オーバートーンにおける負性抵抗が正の値となることを特徴としている。
【００２４】
また、本発明は、上記水晶発振器において、発振回路部が、コルピッツ型発振回路であることを特徴としている。
【発明の効果】
【００２５】
本発明によれば、水晶振動子と発振用トランジスタとを有する発振回路部と、発振用トランジスタの出力を増幅する増幅用トランジスタを有する増幅部とを備えた水晶発振器であって、発振用トランジスタのエミッタが、第１のコンデンサを介して増幅用トランジスタのベースに接続され、増幅用トランジスタのエミッタが、第１のコイル及び第２のコンデンサから成る直列共振回路を介して接地され、増幅用トランジスタのコレクタが、第３のコンデンサを介して発振用トランジスタのベースに帰還接続されている水晶発振器としているので、直列共振回路の共振周波数を所望の主振動周波数に設定することにより、増幅部におけるゲインを主振動周波数付近で大きくして、他の帯域で小さくすることができ、また、増幅部の出力を発振回路部に帰還させることで、ゲインの大きい主振動周波数付近で負性抵抗を増大させ、他の帯域の負性抵抗を低減させることができ、主振動では十分な負性抵抗を確保しつつ、不要波における負性抵抗を正として、不要波の発振を確実に防ぐことができる効果がある。
【００２６】
また、本発明によれば、水晶振動子は、ＳＣカット又はＩＴカットで、主振動がＣモードの３次オーバートーンであり、第１のコイル、第２のコンデンサ、第３のコンデンサの値が調整されることにより、Ｂモードにおける負性抵抗が正の値となる上記水晶発振器としているので、ＳＣカット又はＩＴカットの水晶振動子を用いた水晶発振器において、Ｃモードの３次オーバートーンを安定して発振させ、且つＢモードでの不要発振を確実に抑圧することができる効果がある。
【００２７】
また、本発明によれば、第１のコイル、第２のコンデンサ、第３のコンデンサの値が調整されることにより、Ｃモードの５次オーバートーンにおける負性抵抗が正の値となる上記水晶発振器としているので、ＳＣカット又はＩＴカットの水晶振動子を用いた水晶発振器において、５次オーバートーンでの不要発振を確実に抑圧することができる効果がある。
【００２８】
また、本発明によれば、発振回路部が、コルピッツ型発振回路である上記水晶発振器としているので、回路定数の設計を容易にすることができる効果がある。
【図面の簡単な説明】
【００２９】
【図１】本実施の形態に係る水晶発振器における増幅部の構成例を示す回路図である。
【図２】図１に示した増幅部における入出力特性を示す特性図である。
【図３】本発明の実施の形態に係る水晶発振器の回路図である。
【図４】本発振器の負性抵抗特性を示す特性図である。
【図５】図４の一部を拡大した特性図である。
【図６】従来のコルピッツ型水晶発振回路の構成例を示す回路図である。
【図７】ＳＣカットの水晶振動子を用いた従来の発振回路の構成例を示す回路図である。
【図８】従来の発振器の負性抵抗特性を示す特性図である。
【発明を実施するための形態】
【００３０】
本発明の実施の形態について図面を参照しながら説明する。
［実施の形態の概要］
本発明の実施の形態に係る水晶発振器は、ＳＣカット又はＩＴカットの水晶振動子を用いたコルピッツ型発振回路に、エミッタにＬＣ直列共振回路を接続したエミッタ接地型増幅回路を付加し、更に、当該増幅回路からの出力を発振用トランジスタのベースに帰還する構成としており、増幅回路において、主振動であるＣモード付近に設定されたＬＣ共振周波数付近ではゲインを大きくして、他の帯域ではゲインを小さくし、また、増幅回路からの帰還信号によって、ＬＣ共振周波数の帯域では負性抵抗を増大させ、それ以外の帯域では低いゲインによって負性抵抗を相殺して正の値とすることができるため、Ｂモードでの発振を確実に抑圧することができるものであり、更に、従来のコルピッツ発振回路と同等の手法で容易にパラメータを決定することができ、設計を容易にすることができるものである。
【００３１】
［実施の形態に係る水晶発振器］
本発明の実施の形態に係る水晶発振器（本発振器）は、ＳＣカット又はＩＴカットの水晶振動子Ｘ１及び発振用トランジスタＱ１を備えた発振回路部と、当該発振回路部に接続され、発振回路部からの出力を増幅する増幅部とを備えている。具体的な構成については後述する。
【００３２】
［増幅部：図１］
まず、増幅部について図１を用いて説明する。図１は、本実施の形態の水晶発振器において、発振回路部に付加される増幅部の構成例を示す回路図であり、（ａ）は接地コンデンサを備えた構成、（ｂ）はＬＣ直列共振回路を備えた構成を示している。
図１（ａ）（ｂ）に示すように、増幅部は、発振回路部の出力段に接続され、発振回路部の発振用トランジスタＱ１のエミッタ又はコレクタからの出力信号を入力する入力端子（Input）と、増幅用トランジスタＱ２とを備えたエミッタ接地型増幅回路である。
【００３３】
増幅部の構成について具体的に説明する。
図１（ａ）に示すように、入力端子（Input）は、コンデンサＣ４を介して増幅用トランジスタＱ２のベースに接続されている。
増幅用トランジスタＱ２のベースは、抵抗Ｒ４を介して電源電圧（Vcc）が印加され、抵抗Ｒ７を介して接地されている。
【００３４】
また、増幅用トランジスタＱ２のコレクタには、抵抗Ｒ６を介して電源電圧が印加され、コレクタと出力端子（図示省略）との間にコンデンサＣ５の一端が接続されている。
コンデンサＣ５の他端には、出力端子と負荷抵抗Ｒ８の一端が接続され、負荷抵抗Ｒ８の他端は接地されている。
更に、増幅用トランジスタＱ２のエミッタには、抵抗Ｒ７とコンデンサ（接地コンデンサ）Ｃ６の並列回路の一端が接続され、他端が接地されている。
【００３５】
ここで、図１（ｂ）に示すように、図１（ａ）の接地コンデンサＣ６の代わりにコイルＬ２とコンデンサＣ７とから成るＬＣ直列共振回路を設けると、増幅部の出力において狭い帯域のみ大きなゲインが得られる特性となる。
【００３６】
［増幅部の入出力特性：図２］
次に、図１に示した増幅部における入出力特性について図２を用いて説明する。図２は、図１に示した増幅部における入出力特性を示す特性図であり、破線は接地コンデンサが設けられた場合（図１（ａ））、実線はＬＣ直列共振回路が設けられた場合（図１（ｂ））の特性を示している。
図２（ａ）に示すように、増幅用トランジスタＱ２のエミッタに接地コンデンサが接続されている場合には、入力周波数に対するゲインの変化は小さく、広い帯域に亘って一様に増幅される。
【００３７】
これに対して、図２（ｂ）に示すように、エミッタにＬＣ直列共振回路が接続されている場合には、Ｃモードの１０MHz付近にゲインのピークがあり、他の帯域におけるゲインは小さく、狭帯域化されている。つまり、不要発振であるＢモード（１０．９MHz）や、５倍波（１６．７MHz）では、ゲインが小さくなっている。
ピークの位置は共振周波数に相当しており、共振周波数が主モード（Ｃモード）の周波数又はそれに近い周波数となるようにパラメータが設定される。
【００３８】
［本発明の実施の形態に係る水晶発振器：図３］
次に、本発振器の構成について図３を用いて説明する。図３は、本発明の実施の形態に係る水晶発振器の回路図である。
図３に示すように、本発振器は、発振回路部と増幅部とから構成される。
発振回路部は、図６に示したコルピッツ型発振回路と同様の構成であり、また、増幅部は、図１（ｂ）に示した増幅部と基本的に同等である。但し、発振回路部の水晶振動子Ｘ１としては、ＳＣカット又はＩＴカットの水晶片を用いている。図６及び図１（ｂ）と同等の部分については同一の符号を付して説明する。
【００３９】
本発振器は、図６に示した発振回路部の出力段に図１（ｂ）に示した増幅部を付加した構成とみなすことができ、発振用トランジスタＱ１のエミッタに、コンデンサＣ４の一端が接続され、コンデンサＣ４の他端が増幅用トランジスタＱ２のベースに接続されている。
【００４０】
また、増幅部において、トランジスタＱ２のエミッタに抵抗Ｒ７の一端が接続され、他端が接地され、抵抗７に並列に、コイルＬ２とコンデンサＣ７との直列共振回路が接続されている。当該直列共振回路の共振周波数は、Ｃモードの３次オーバートーン（１０MHz）付近に設定されている。
これにより、増幅部の出力において、主モードであるＣモードの周波数付近では大きなゲインが得られると共に、当該周波数以外の帯域におけるゲインを抑えるものである。
【００４１】
そして、本発振器の特徴として、増幅部の出力を発振回路部に帰還させる構成としている。具体的には、増幅用トランジスタＱ２のコレクタが、コンデンサＣ８（帰還容量）を介して発振用トランジスタＱ１のベースに接続されている。
【００４２】
増幅部の出力を発振回路部に帰還させることにより、発振回路部が元来有している負性抵抗を増大させるものである。
その際、ＬＣ共振周波数では増幅部におけるゲインが大きいため、負性抵抗増大の効果が大きくなる。
一方、ＬＣ共振周波数以外の帯域ではゲインが小さく、結果として負性抵抗は相殺される。特に、共振周波数より高周波数の帯域において負性抵抗を低減する効果が大きく、負性抵抗は正の値となる。
本発振器では、このことを利用して不要発振を防ぐものである。
【００４３】
更に、本発振器においては、発振回路部は従来のコルピッツ型であるため、設計が容易であり、負性抵抗を調整するために、帰還容量のコンデンサＣ８と、ＬＣ直列共振回路のコイルＬ２及びコンデンサＣ７の値を適宜設定すればよく、これらを最適化することにより、負荷抵抗のピーク位置やカーブを調整することができ、所望の負荷抵抗特性が得られるものである。
例えば、負性抵抗のピーク位置は帰還容量Ｃ８により調整でき、Ｃ８の値を大きくするとピークは低周波数側にシフトし、Ｃ８の値を小さくすると高周波数側にシフトする。
【００４４】
［本発振器の負性抵抗特性：図４，５］
次に、本発振器の負性抵抗特性について図４及び図５を用いて説明する。図４は、本発振器の負性抵抗特性を示す特性図であり、図５は、図４の一部を拡大した特性図である。
図４及び図５では、本発振器の負性抵抗特性（ａ）及び（ｂ）に加えて、比較のために、従来の発振器（図７）の特性（ｃ）及び（ｄ）を重ねて表示している。特性（ｃ）（ｄ）は、図８の特性（ｃ）（ｄ）と同じである。
【００４５】
図４、図５に示すように、従来の発振器の負性抵抗特性（ｃ）、（ｄ）は、Ｃモードにおいて大きな負性抵抗が得られるものの、抑圧したいＢモード（１０．９MHz）においても負性抵抗が残っており、また、Ｃモードの５倍波（１６．７MHz）においても正の値とはなっていない。そのため、Ｂモードや５倍波での不要な発振を確実に抑圧できるものではない。
【００４６】
それに対して、本発振器におけるＳＣカットの水晶振動子の負性抵抗特性（ａ）（ｂ）は、Ｂモードにおいて正の値が得られており、Ｂモードでの発振を確実に抑圧することができるものである。
それと共に、Ｃモードにおいては、十分大きな負性抵抗が得られ、所望のＣモードの３次オーバートーンでの安定した発振を確実にするものである。
更に、特性（ａ）では、圧電素子に特有の基本波の奇数次オーバートーンである５倍波の周波数においても負性抵抗が正の値となっており、５次オーバートーンでの発振も確実に抑圧できるものである。
【００４７】
尚、ここでは、ＳＣカットの水晶振動子を用いた例について説明したが、ＩＴカットの水晶振動子を用いた場合でも、直列共振回路を構成するコイルＬ２，コンデンサＣ７、帰還用のコンデンサＣ８の値を適宜選択することにより、Ｂモード及び５倍波における負性抵抗を正とすることができ、不要発振を確実に防ぐことができるものである。
【００４８】
［実施の形態の効果］
本発明の実施の形態に係る水晶発振器によれば、ＳＣカット又はＩＴカットの水晶振動子と発振用トランジスタＱ１とを有する発振回路部と、発振回路部の出力を増幅する増幅用トランジスタＱ２を有する増幅部とを備え、増幅用トランジスタＱ２のエミッタが、コイルＬ２とコンデンサＣ７のＬＣ直列共振回路を介して接地され、増幅用トランジスタＱ２のコレクタと、発振用トランジスタＱ１のベースが、コンデンサＣ８を介して接続された構成としているので、ＬＣ直列共振回路の共振周波数を主振動であるＣモード３次オーバートーンの周波数に設定することにより、増幅部において主振動付近のゲインを大きくし、他の帯域のゲインを小さくすると共に、増幅部の出力を発振回路部に帰還させることにより、ゲインの大きい主振動付近の負性抵抗を増大させ、他の帯域の負性抵抗を低減させることができ、主振動では十分な負性抵抗を確保しつつ、不要波となるＢモードにおける負性抵抗を正として、Ｂモードでの発振を確実に防ぐことができる効果がある。
【００４９】
また、本発振器によれば、コイルＬ２，コンデンサＣ７及びコンデンサＣ８を適宜設定することにより、負性抵抗特性のピーク位置やカーブを調整することができ、所望の特性を得ることができる効果がある。
例えば、５次オーバートーンにおける負性抵抗を正として、不要な５倍波の発振を確実に抑えることができる効果がある。
【００５０】
また、本水晶発振器によれば、発振回路部は、従来と同様のコルピッツ発振回路としているので、従来に比べて回路定数の設計を格段に容易にすることができる効果がある。
【産業上の利用可能性】
【００５１】
本発明は、不要発振を確実に抑圧することができ、設計が容易な水晶発振器に適している。
【符号の説明】
【００５２】
Ｘ１...水晶振動子、  Ｑ１...発振用トランジスタ、  Ｑ２...増幅用トランジスタ、  Ｒ１，Ｒ２，Ｒ３，Ｒ４，Ｒ５，Ｒ６，Ｒ７，Ｒ８...抵抗、  Ｃ１，Ｃ２，Ｃ３，Ｃ４，Ｃ５，Ｃ６，Ｃ７，Ｃ８，Ｃｔ...コンデンサ、  Ｌ１，Ｌ２...コイル
【図１】
2015097307.tif 000003
【図２】
2015097307.tif 000004
【図３】
2015097307.tif 000005
【図４】
2015097307.tif 000006
【図５】
2015097307.tif 000007
【図６】
2015097307.tif 000008
【図７】
2015097307.tif 000009
【図８】
2015097307.tif 000010